(57)【要約】【課題】表示の良好な液晶表示装置を提供する。【解決手段】互いに対向する電極部分により形成される表示要素が複数配列され、当該電極部分の間に印加される電圧によって、液晶層の光透過率を制御して映像を表示する液晶表示装置において、電極部分を駆動する液晶駆動信号発生回路２と、液晶駆動信号発生回路２を制御するインタフェース回路１とを備え、インタフェース回路１は、所定の数の表示要素から構成される領域を一つの表示要素として制御信号を出力し、当該制御信号に基づいて映像を表示することを特徴とする。これにより、これらの表示素子が１つの表示データのために複数点灯するので、加色法による色混合が十分に行われる。したがって、ＲＧＢ（赤、緑、青）のそれぞれのドットが、観察者からは容易に認識されるという事態が防止することができ、表示の品位を向上させることができる。【選択図】  図１
2004206005.tif 000002
【特許請求の範囲】
【請求項１】
互いに対向する電極部分により形成される表示要素が複数配列され、当該電極部分の間に印加される電圧によって、液晶層の光透過率を制御して映像を表示する液晶表示装置において、
前記電極部分を駆動する駆動装置と、
前記駆動装置を制御するインタフェース回路と、を備え、
前記インタフェース回路は、所定の数の表示要素から構成される領域を一つの表示要素として制御信号を出力し、当該制御信号に基づいて映像を表示することを特徴とする液晶表示装置。
【請求項２】
前記インタフェース回路は、表示要素に割り当てられた入力情報を、複数の表示要素に割り当てた制御信号に変換し、当該変換された制御信号を出力することを特徴とする請求項１に記載の液晶表示装置。
【請求項３】
前記インタフェース回路は、前記所定の数の表示要素の設定を変更する表示要素数変更手段を、さらに有することを特徴とする請求項１に記載の液晶表示装置。
【請求項４】
前記インタフェース回路は、前記複数の表示要素に割り当てられた情報のうち、所定の表示要素については消灯する情報に変換し、当該変換された制御信号を出力することを特徴とする請求項２に記載の液晶表示装置。
【発明の詳細な説明】
【０００１】
【発明の属する技術分野】
本発明は、単純マトリクス表示方式によるＳＴＮ（Ｓｕｐｅｒ  Ｔｗｉｓｔｅｄ  Ｎｅｍａｔｉｃ）型の液晶表示装置に関する。
【０００２】
【従来の技術】
近年、携帯型の小型情報機器には、大きい表示画面を持つディスプレイ装置が用いられるようになっている。単純マトリクス表示方式によるＳＴＮ型の液晶表示装置は、ＴＦＴ（Ｔｈｉｎ  Ｆｉｌｍ  Ｔｒａｎｓｉｓｔｏｒ）などを用いた液晶表示装置に比べ、消費電力が比較的低く、製造コストも低く抑えることができることから、携帯型の小型情報機器のカラーディスプレイ装置として用いられている。
【０００３】
そして、そのなかでも、互いに対向して配置された表示電極により形成されるドット状の表示素子を、マトリクス状に複数個配列して、文字や画像情報を表示するドットマトリクス方式の液晶表示装置が用いられている。このようなドットマトリクス方式の液晶表示装置の駆動方法としては、たとえば特許文献１に記載された技術がある。
【０００４】
【特許文献１】
特開平０９−５７１２号公報（第７図）
【発明が解決しようとする課題】
しかしながら、ドットマトリクス方式の液晶表示装置において、ピクセルの大きさは、液晶パネルの大きさと表示電極の配線の本数から決まっていた。
【０００５】
これによって、表示電極の配線の少ないＬＣＤパネルの場合には、１ピクセルのサイズが大きくなってしまい、加色法による色混合が十分に行われない事態が生じた。したがって、カラーディスプレイ装置などでは、ＲＧＢ（赤、緑、青）のそれぞれの表示要素が観察者から容易に認識されてしまい、表示の品位を低下させてしまうという問題点が生じていた。
【０００６】
本願発明はこのような不都合を解消するために発明されたもので、表示の良好な液晶表示装置を提供することを目的とする。
【０００７】
【課題を解決するための手段】
上記目的を達成するため、本願における代表的な発明は、互いに対向する電極部分により形成される表示要素が複数配列され、当該電極部分の間に印加される電圧によって、液晶層の光透過率を制御して映像を表示する液晶表示装置において、電極部分を駆動する駆動装置と、駆動装置を制御するインタフェース回路とを備え、インタフェース回路は、所定の数の表示要素から構成される領域を一つの表示要素として制御信号を出力し、当該制御信号に基づいて映像を表示することを特徴とする。
【０００８】
なお、前記インタフェース回路は、表示要素に割り当てられた入力情報を、複数の表示要素に割り当てた制御信号に変換し、当該変換された制御信号を出力するように構成してもよい。
【０００９】
また、前記インタフェース回路は、所定の数の表示要素の設定を変更する表示要素数変更手段を、さらに有してもよい。
【００１０】
また、前記インタフェース回路は、複数の表示要素に割り当てられた情報のうち、所定の表示要素については消灯する情報に変換し、当該変換された制御信号を出力するように構成してもよい。
【００１１】
【発明の実施の形態】
以下、本発明の実施の形態に係る液晶表示装置について、図面を参照して説明する。図１は、本発明の実施形態に係る液晶表示装置の構成を表わすブロック図である。本発明の液晶表示装置は、特に制限されないが、インタフェース回路１、液晶駆動信号発生回路２、液晶パネル３、セグメントドライバ４、コモンドライバ５およびバックライト６から構成されている。
【００１２】
インタフェース回路１は、外部からの信号に基づいて液晶パネル３に表示させる表示データを生成する回路であり、液晶駆動信号発生回路２に対して表示データおよび制御データを出力する。本実施の形態のインタフェース回路１では、一つの表示要素に割り当てられた入力情報を、複数の表示要素に割り当てた制御信号に変換し、当該変換された制御信号を出力している。
【００１３】
すなわち、セグメント電極とコモン電極の交点に形成されているドット状の表示要素ごとに入力された入力情報を、インタフェース回路１は、所定の設定情報に基づき、複数の表示要素に同一の情報を書き込む制御信号を形成する。
【００１４】
具体的には、図示しない表示要素数変更手段を、インタフェース回路１は有しており、操作者が表示させたいサイズに変更した表示要素数の変更情報を、表示要素数変更手段は受け付け、その情報に基づいて制御信号を形成して、液晶駆動信号発生回路２に対して出力する。
【００１５】
液晶駆動信号発生回路２は、セグメント電極とコモン電極に印加する表示データをそれぞれ駆動信号として形成し、セグメントドライバ４とコモンドライバ５に出力する。液晶駆動信号発生回路２は、セグメントドライバ４とコモンドライバ５が情報を書き込むタイミング信号も出力している。
【００１６】
液晶パネル３は、対向する２枚の基板の間に液晶素子を配置した液晶ディスプレイで、それぞれの基板にはセグメント電極とコモン電極の配線が、直交するように配列されている。そして、それぞれのセグメント電極とコモン電極の交点に表示要素がドットマトリクス状に形成されており、セグメント電極とコモン電極の間に保持された電荷に応じて、液晶素子がスイッチングし、光透過率を変化させて表示を行うものである。
【００１７】
なお、それぞれのセグメント電極とコモン電極の交点の表示要素には、それぞれＲ（赤）、Ｇ（緑）、Ｂ（青）のカラーフィルタが形成されており、これらの色の混色によってカラー表示を行うものである。
【００１８】
セグメントドライバ４は、液晶駆動信号発生回路２からセグメント電極ごとに駆動させる信号を受け付け、複数の信号線に表示データに応じた電圧を印加する。なお、特に制限されないが、本実施の形態ではｎ本の信号線がセグメント電極として、配列されている。この本数は、液晶表示装置のサイズや用途に応じて、種々変更が可能である。
【００１９】
コモンドライバ５は、液晶駆動信号発生回路２からコモン電極に連続的に印加される信号に基づいて、複数の信号線に電圧を印加する。なお、特に制限されないが、本実施の形態ではｍ本の信号線がコモン電極として、セグメント電極の信号線とは直交する方向に配列されている。
【００２０】
この本数は、液晶表示装置のサイズや用途に応じて、種々変更が可能である。そして、このコモン電圧は９０度位相がずれた電圧を連続的にｍ本の信号線に印加させている。これにより、液晶素子に印加される直流電圧を防ぎ、フリッカーや焼け付きなどを防止することができる。
【００２１】
バックライト６は、液晶パネル３に光を照射する光源である。本実施の形態では、ＳＴＮ方式に適した駆動方法を用いている。バックライト６は、特に制限されないが、表示の期間中点灯している。なお、このバックライト６は、種々の方式が適用することが可能で、サイドライト方式や直下型方式のいずれも、本発明に採用することができる。
【００２２】
図２は、図１に示す液晶パネルの表示要素の設定例を示す図である。図２は、上述の液晶パネル３のセグメント電極とコモン電極の交点に形成された表示要素の配置状態を示したものである。そして、それぞれの表示素子には、Ｒ（赤）、Ｇ（緑）、Ｂ（青）のカラーフィルタが割り当てられており、これらを１ドットとして、これらの色の混色によってカラー表示を行うものである。
【００２３】
ここで、表示素子は横方向の表示要素の設定領域２１と縦方向の表示要素の設定領域２２に表示領域が拡大されている。すなわち、表示素子Ｒ１１、Ｇ１１、Ｂ１１で１つのドットとして表示するように、インタフェース回路１の入力情報は指示していたが、インタフェース回路１の表示要素数変更手段は、表示要素数の変更情報を受け付け、その情報に基づいて制御信号を形成して、液晶駆動信号発生回路２に対して出力し、横方向の表示要素の設定領域２１と縦方向の表示要素の設定領域２２に表示データを拡大した。
【００２４】
本図の場合は、通常だと表示素子Ｒ１１、Ｇ１１、Ｂ１１で表示する内容を、横方向と縦方向でそれぞれ設定領域を変更して、Ｒ１１、Ｇ１１、Ｂ１１、Ｒ１２、Ｇ１２、Ｂ１２、Ｒ２１、Ｇ２１、Ｂ２１、Ｒ２２、Ｇ２２、Ｂ２２、Ｒ３１、Ｇ３１、Ｂ３１、Ｒ３２、Ｇ３２、Ｂ３２、Ｒ４１、Ｇ４１、Ｂ４１、Ｒ４２、Ｇ４２、Ｂ４２で表示している。
【００２５】
これにより、これらの表示素子が１つの表示データのために複数点灯するので、加色法による色混合が十分に行われる。したがって、ＲＧＢ（赤、緑、青）のそれぞれのドットが、観察者からは容易に認識されるという事態を防止することができ、表示の品位を向上させることができる。
【００２６】
本図においては、インタフェース回路１で変換する前の入力情報では、表示素子Ｒ１１、Ｇ１１、Ｂ１１で表示する内容を、Ｒ１１、Ｇ１１、Ｂ１１、Ｒ１２、Ｇ１２、Ｂ１２、Ｒ２１、Ｇ２１、Ｂ２１、Ｒ２２、Ｇ２２、Ｂ２２、Ｒ３１、Ｇ３１、Ｂ３１、Ｒ３２、Ｇ３２、Ｂ３２、Ｒ４１、Ｇ４１、Ｂ４１、Ｒ４２、Ｇ４２、Ｂ４２で表示している。
【００２７】
そして、表示素子Ｒ１２、Ｇ１２、Ｂ１２で表示する内容を、Ｒ１３、Ｇ１３、Ｂ１３、Ｒ１４、Ｇ１４、Ｂ１４、Ｒ２３、Ｇ２３、Ｂ２３、Ｒ２４、Ｇ２４、Ｂ２４、Ｒ３３、Ｇ３３、Ｂ３３、Ｒ３４、Ｇ３４、Ｂ３４、Ｒ４３、Ｇ４３、Ｂ４３、Ｒ４４、Ｇ４４、Ｂ４４で表示している。
【００２８】
このような表示を行うことによって、粗い１画素で多彩な色を表現する場合に比べ、簡素な構造のインタフェース回路１によっても、高精細な表示を行うことができる。
【００２９】
すなわち、インタフェース回路１は、たとえば液晶パネル３のセグメント電極の信号配線の数が１６本（ｎ＝１６）で、コモン電極の信号配線の数が６４×３（ｍ＝６４×３）とした場合において考える。本図では、インタフェース回路１の表示要素数変更手段によって、セグメント電極側は入力が１６であるのに対して、４倍の６４のセグメント電極側の入力が入っている場合と同等の画質を得られる。
【００３０】
一方で、本図では、インタフェース回路１の表示要素数変更手段によって、コモン電極側は入力が６４×３であるのに対して、２倍の１２８×３のコモン電極側の入力が入っている場合と同等の画質を得られる。
【００３１】
図３は、図１に示す液晶パネルの表示要素の他の設定例を示す図である。この例では、図２がたとえば液晶パネル３のセグメント電極の信号配線の数が１６本（ｎ＝１６）で、コモン電極の信号配線の数が６４×３（ｍ＝６４×３）とした場合において考えていたが、本図では、液晶パネル３のセグメント電極の信号配線の数が３２本（ｎ＝３２）で、コモン電極の信号配線の数が３２×３（ｍ＝３２×３）とした場合において考えている。
【００３２】
図２に示した場合と同様に、インタフェース回路１の表示要素数変更手段によって、セグメント電極側は入力が１６であるのに対して、４倍の６４のセグメント電極側の入力が入っている場合と同等の画質を得られる。
【００３３】
ここで、表示素子は、横方向の表示要素の設定領域３１と縦方向の表示要素の設定領域３２に表示領域が拡大されている。すなわち、表示素子Ｒ１１、Ｇ１１、Ｂ１１で１つのドットとして表示するように、インタフェース回路１の入力情報は指示していたが、インタフェース回路１の表示要素数変更手段は、表示要素数の変更情報を受け付け、その情報に基づいて制御信号を形成して、液晶駆動信号発生回路２に対して出力し、横方向の表示要素の設定領域３１と縦方向の表示要素の設定領域３２に表示データを拡大した。
【００３４】
本図の場合は、通常だと表示素子Ｒ１１、Ｇ１１、Ｂ１１で表示する内容を、横方向と縦方向でそれぞれ変更して、Ｒ１１、Ｇ１１、Ｂ１１、Ｒ１２、Ｇ１２、Ｂ１２、Ｒ１３、Ｇ１３、Ｂ１３、Ｒ１４、Ｇ１４、Ｂ１４、Ｒ２１、Ｇ２１、Ｂ２１、Ｒ２２、Ｇ２２、Ｂ２２、Ｒ２３、Ｇ２３、Ｂ２３、Ｒ２４、Ｇ２４、Ｂ２４で表示している。
【００３５】
そして、表示素子Ｒ２１、Ｇ２１、Ｂ２１で表示する内容を、横方向と縦方向でそれぞれ変更して、Ｒ３１、Ｇ３１、Ｂ３１、Ｒ３２、Ｇ３２、Ｂ３２、Ｒ３３、Ｇ３３、Ｂ３３、Ｒ３４、Ｇ３４、Ｂ３４、Ｒ４１、Ｇ４１、Ｂ４１、Ｒ４２、Ｇ４２、Ｂ４２、Ｒ４３、Ｇ４３、Ｂ４３、Ｒ４４、Ｇ４４、Ｂ４４で表示している。
【００３６】
このように、表示させるデータに応じて、さまざまな倍率で表示データを表示することができるので、高精細の表示ができる上、ワイド表示やズーム機能などの各種の表示機能に対応することもできる。
【００３７】
一方で、インタフェース回路１は、複数の表示要素に割り当てられた情報のうち、所定の表示要素については消灯する情報に変換し、制御信号を出力することもできる。
【００３８】
すなわち、階調の機能をバックアップさせるために、所定の表示データに関しては、表示素子をいくつか消灯させて、階調に変化を持たせることもできる。たとえば、Ｒ（赤）表示の階調の変化をつけたい場合に、Ｒ１２、Ｒ１４、Ｒ２１、Ｒ２３を消灯させて、少し赤の表示を抑えることが可能となる。これによって、粗い画素でも、キメの細かい階調の液晶パネルを実現することができる。
【００３９】
図４は、本発明の液晶表示装置の表示例を示す図である。ここで、図４（Ａ）は、インタフェース回路１に入力された、表示要素数の変更前の表示を示している。一方で、図４（Ｂ）は、インタフェース回路１の表示要素数変更手段によって、表示要素の変更を行った表示である。
【００４０】
なお、本実施の形態では、携帯型の小型情報機器の表示部４１を説明のために用いているが、特にこれに限られず、中型の液晶パネルなどのさらに大きなパネルサイズであってもよい。
【００４１】
図４（Ａ）のドットマトリクス表示領域４２には、ｍ本のコモン電極ＣＯＭ１〜ＣＯＭｍと、ｎ本のセグメント電極ＳＥＧ１〜ＳＥＧｎとを備えている。そして、表示データに対応した位置に「カシオケイサンキ」と「０４２５−７９−００００」のカラー表示の文字が表示されている。なお、本実施の形態では、カラー表示の文字を説明のために用いているが、特にこれに限られず、カラー画像などであってもよい。
【００４２】
そして、インタフェース回路１の表示要素数変更手段によって、表示要素の変更を行うと、図４（Ｂ）に示すように、表示情報が拡大され、高精細の文字を表示することができる。なお、文字のようなフォントデータを拡大すると、粗いドットの液晶パネルでは、ＲＧＢ（赤、緑、青）のそれぞれのドットが観察者からは容易に認識されるという事態が生じていたが、本実施の形態の液晶パネルでは、このような不都合を防止することができる。
【００４３】
図５は、本発明の液晶パネルの構成を示す平面図である。液晶パネル３は、ｍ本のコモン電極ＣＯＭ１〜ＣＯＭｍと、ｎ本のセグメント電極ＳＥＧ１〜ＳＥＧｎとを備える。コモン電極ＣＯＭ１〜ＣＯＭｍと、セグメント電極ＳＥＧ１〜ＳＥＧｎはＴＮ液晶を挟んで対向して配置されており、第１のコモン電極ＣＯＭ１と、セグメント電極ＳＥＧ１〜ＳＥＧｎとの対向部分が、ドット表示素子を構成する。また、コモン電極ＣＯＭ２〜ＣＯＭｍとセグメント電極ＳＥＧ１〜ＳＥＧｎとの対向部分も表示素子を構成する。
【００４４】
次に、この液晶パネル３の動作を説明する。液晶駆動信号発生回路２は、セグメント電極とコモン電極に印加する表示データを、それぞれ駆動信号として形成し、セグメントドライバ４とコモンドライバ５に、それぞれ出力する。液晶駆動信号発生回路２は、セグメントドライバ４とコモンドライバ５が情報を書き込むタイミング信号も出力している。
【００４５】
セグメントドライバ４は、液晶駆動信号発生回路２から供給される情報に基づいて、表示情報をセグメント電極に供給する。なお、セグメントドライバ４は、いわゆるダイナミック駆動法で、表示部に所定の文字や画像を行う。具体的には、それぞれのセグメント電極とコモン電極の交点に表示要素がドットマトリクス状に形成されており、セグメント電極とコモン電極の間に保持された電荷に応じて、液晶素子がスイッチングし、光透過率を変化させて表示を行うものである。
【００４６】
そして、インタフェース回路１は、一つの表示要素に割り当てられた入力情報を、複数の表示要素に割り当てた制御信号に変換し、その変換された制御信号を出力し、セグメントドライバ４とコモンドライバ５は、その情報に基づいて表示要素の設定領域を定めることができる。
【００４７】
図６は、本発明の液晶パネルの構成を示す断面図である。この画素領域は、上述の液晶パネル３の断面を示している。そして、この液晶パネル３には、特に制限されないが、対向基板６２、セグメント基板６３、コモン電極６４、セグメント電極６５、配向膜６６、配向膜６７、液晶層６８およびカラーフィルタ６９が示されている。
【００４８】
対向基板６２は、コモン電極が形成された基板であって、もう一方の基板に対向して配置された基板である。この対向基板６２には、配線状にコモン電極６４が形成されており、各セグメント電極の交点に表示要素が、ドット状に形成されている。そして、このコモン電極６４には、液晶駆動信号発生回路２からコモン電圧が印加されており、その極性は、ドットごとあるいはフレームごとに反転されている。これは、液晶素子に直流成分の電圧が印加され続けると、フリッカーなどの表示不良の原因になるからである。
【００４９】
セグメント基板６３は、セグメント信号線が形成された基板であって、もう一方の対向基板６２に対向して配置された基板である。このセグメント基板６３には、複数のセグメント電極６５が形成されている。そして、セグメント電極６５には、液晶駆動信号発生回路２から画像データが印加される。
【００５０】
配向膜６６および配向膜６７は、それぞれ液晶素子を所定の方向に揃えるために設けられた有機薄膜である。配向膜６６および配向膜６７は、その表面をラビングすることにより、液晶層との接触面に、液晶分子の初期配向方向を揃える配向処理が施されている。そして、画素電極と共通電極の間に発生する電界に応じて、液晶素子が初期配向方向から配向状態を変化させることによって、光の透過率を変化させる。
【００５１】
液晶層６８は、対向基板６２とセグメント基板６３の間にシール材を周囲に設けて、その中に注入された液晶素子である。この液晶層６８は、コモン電極６４とセグメント電極６５の間に印加された画像データに応じて、液晶素子の配向状態が変化して、その挙動によって、バックライト６から照射される光が表示される。
【００５２】
カラーフィルタ６９は、各表示要素ごとにＲＧＢ（赤、緑、青）が設けられている。そして、カラーフィルタ６９Ｒ（赤）、６９Ｇ（緑）、６９Ｂ（青）で１つのドットを構成しており、この色が混ざり合って、さまざまなカラー表示を実現することができる。
【００５３】
なお、本実施の形態では、特に制限されないが、スーパーツイストネマチック型の液晶材料を用いている。
【００５４】
図７は、本発明の液晶表示装置の構成例を示す斜視図である。本発明の実施形態に係る液晶表示装置は、特に制限されないが、ＰＤＡ（ＰＥＲＳＯＮＡＬ  ＤＩＧＩＴＡＬ  ＡＳＳＩＳＴＡＮＴ）などの表示モニター部として用いた場合で、シールドケース７１、液晶パネル３、拡散板７４、導光体７５、反射板７６、下側ケース７７、バックライト６およびインバータ７９から構成されている。
【００５５】
シールドケース７１は、液晶パネル３やバックライト６などを外部からの衝撃からシールドするための金属板である。また、シールドケース７１には、表示窓７２が設けられており、この表示窓７２が開口されている部分に、液晶パネル３が露出され、この領域が表示エリアとなる。
【００５６】
液晶パネル３は、特に制限されないが、図６で示したように２枚の対向する基板の間に液晶素子からなる液晶層が配置されている。そして、この２枚の対向する基板には、それぞれセグメント電極６５とコモン電極６４が形成されており、両電極間に発生した電圧に応じた挙動を液晶素子が行い、光の透過率の制御がなされる。
【００５７】
なお、セグメント電極６５が形成されている基板およびコモン電極６４が形成されている基板には、表示領域全面に配線上の電極が設けられている。さらに、液晶パネル３には、複数に分割されたセグメントドライバ４およびコモンドライバ５が、その非表示領域に配置されている。
【００５８】
拡散板７４は、バックライト６からの光を拡散させて、液晶パネル３の表面に明るさを均一にするために用いられている。なお、これらの光学部材は、使用する光源の方式や配置によって、種々変更が可能だが、本実施の形態では、導光体７５を用いて、その導光体７５の発光面側に拡散板７４を配置している。
【００５９】
導光体７５は、光源から光を導き拡散させるために用いられており、特に制限されないが、表面に拡散パターンを有する透明な板であって、その断面形状は、使用する光源の方式によって異なる。
【００６０】
反射板７６は、光源からの光を反射させて、バックライトとしての光の有効利用をするために用いられている。特に制限されないが、本実施の形態では、導光体７５の表面以外の外周の反射用に用いている。
【００６１】
下側ケース７７は、シールドケース７１とともに、液晶パネルやバックライトなどを外部からの衝撃からシールドするための金属板である。特に制限されないが、この下側ケース７７にバックライト６やインバータ７９などが搭載されている。
【００６２】
バックライト６は、液晶パネル３に光を照射する光源である。本実施の形態では、ドットマトリクス方式の駆動方法を用いている。また、このバックライト６は、種々の方式を適用することが可能で、サイドライト方式や直下型方式のいずれも、本発明に採用することができる。
【００６３】
インバータ７９は、バックライト６の点灯用の高周波電圧を発生する電気回路である。インバータ７９は、他の電気回路に比べて高電圧になるため、外部から触れられることのないよう、下側ケース７７でシールドされている。
【００６４】
このように、本実施の形態においては、シールドケース７１、液晶パネル３、拡散板７４、導光体７５、反射板７６、下側ケース７７、バックライト６およびインバータ７９から構成される液晶表示装置を用いているが、これに限定される必要はなく、種々の変更は可能である。たとえば、シールドケースを用いずに、携帯電話などでは筺体と一体化して形成する場合や、強力なバックライトを用いて拡散板、導光体を用いないなどの種々の変更は可能である。
【００６５】
また、インタフェース回路１は、一つの表示要素に割り当てられた入力情報を、複数の表示要素に割り当てた制御信号に変換するのみではなく、複数の表示要素に割り当てられた入力情報を、さらに異なる複数の表示要素に割り当てた制御信号に変換するように構成してもよい。
【００６６】
一方で、インタフェース回路１は、複数の表示要素に割り当てられた入力情報を、１つの表示要素に割り当てた制御信号に変換するように構成してもよい。このように、インタフェース回路１が変換する表示データの表示領域数の変更設定は、さまざまな場合が設定でき種々の変更が可能である。
【００６７】
【発明の効果】
以上説明したように、本発明の液晶表示装置によれば、表示の品位を向上することができる。
【図面の簡単な説明】
【図１】本発明の実施形態に係る液晶表示装置の構成を表わすブロック図である。
【図２】図１示す液晶パネルの表示要素の設定例を示す図である。
【図３】図１示す液晶パネルの表示要素の他の設定例を示す図である。
【図４】本発明の液晶表示装置の表示例を示す図である。
【図５】本発明の液晶パネルの構成を示す平面図である。
【図６】本発明の液晶パネルの構成を示す断面図である。
【図７】本発明の液晶表示装置の構成例を示す斜視図である。
【符号の説明】
１・・・インタフェース回路、２・・・液晶駆動信号発生回路、３・・・液晶パネル、４・・・セグメントドライバ、５・・・コモンドライバ、６・・・バックライト、２１・・・横方向の表示要素の設定領域、２２・・・縦方向の表示要素の設定領域、３１・・・横方向の表示要素の設定領域
３２・・・縦方向の表示要素の設定領域、４１・・・携帯型の小型情報機器の表示部、４２・・・ドットマトリクス表示領域、６２・・・対向基板、６３・・・セグメント基板、６４・・・コモン電極、６５・・・セグメント電極、６６・・・配向膜、６７・・・配向膜、６８・・・液晶層、６９・・・カラーフィルタ、７１・・・シールドケース、７２・・・表示窓、７４・・・拡散板、７５・・・導光体、７６・・・反射板、７７・・・下側ケース、７９・・・インバータ
【図１】
2004206005.tif 000003
【図２】
2004206005.tif 000004
【図３】
2004206005.tif 000005
【図４】
2004206005.tif 000006
【図５】
2004206005.tif 000007
【図６】
2004206005.tif 000008
【図７】
2004206005.tif 000009